(57)【特許請求の範囲】
【請求項１】
加工材を加工するため、ハウジング（３）と、振り子装置（２）と、往復ロッド軸受構造（１）により往復移動自在に配置した往復ロッド（４）とを具え、前記往復ロッド（４）の一方の端部に回し引き鋸ブレード（５）を固定可能にし、この回し引き鋸ブレード（５）の幅広側面（６ａ，６ｂ）を、鋸引き方向（Ｓ）に直交する方向から案内装置（８）の案内手段（７ａ，７ｂ）によって案内する回し引き鋸装置において、前記案内装置（８）を前記往復ロッド軸受構造（１）に配置し、また往復ロッド軸受構造（１）を前記ハウジング（３）内に移動自在に配置し、前記案内装置（８）を前記ハウジング（３）に対して鋸引き方向（Ｓ）に移動可能にしたことを特徴とする回し引き鋸装置。
【請求項２】
前記案内装置（８）を前記振り子装置（２）に機械的に係合して連係動作する構成とした請求項１記載の回し引き鋸装置。
【請求項３】
前記案内装置（８）を弾性トング構造にし、この弾性トング構造の遊端（２１ａ，２１ｂ）にそれぞれ案内手段（７ａ，７ｂ）を配置した請求項１または２に記載の回し引き鋸装置。
【請求項４】
前記案内手段（７ａ，７ｂ）を案内ローラによって構成し、これら案内ローラの外面（１８）を前記回し引き鋸ブレード（５）の対応する前記幅広側面（６ａ，６ｂ）に接触させ、かつこれら案内ローラの回転軸線を鋸引き方向（Ｓ）にほぼ平行に延在させた請求項１〜３のうちいずれか一項に記載の回し引き鋸装置。
【請求項５】
前記案内装置（８）に、前記両側の案内手段（７ａ，７ｂ）相互間の距離を変更させる調整装置（２３）を設けた請求項１〜４のうちのいずれか一項に記載の回し引き鋸装置。
【請求項６】
前記調整装置（２３）には、前記幅広側面（６ａ，６ｂ）に対して直交する方向に延在する調整ねじ（２４）を設けた請求項５記載の回し引き鋸装置。
【発明の詳細な説明】
【０００１】
【発明の属する技術分野】
本発明は、加工材を加工するため、ハウジングと、振り子装置と、往復ロッド軸受構造により往復移動自在に配置した往復ロッドとを具え、前記往復ロッドの一方の端部に回し引き鋸ブレードを固定可能にし、この回し引き鋸ブレードの幅広側面を、鋸引き方向に直交する方向から案内装置の案内手段によって案内する回し引き鋸装置に関するものである。
【０００２】
【従来の技術】
従来のこのような回し引き鋸装置は、案内手段を有する案内装置を設け、使用中に回し引き鋸ブレードが鋸引き方向に直交する方向にふらつかないようにしている。更に、鋸引き方向に直交する方向に作用する力の成分を案内装置によって吸収する。振り子装置は、回し引き鋸ブレードに対して鋸引き方向に振り子運動を重畳させ、回し引き鋸装置の鋸引き効率を高めるようにしている。
【０００３】
鋸引き方向に直交する回し引き鋸ブレードのための振り子装置及び案内装置を有する回し引き鋸装置は既知である（例えば、特許文献１参照）。この特許文献１の案内装置は円筒形の外形を有しており、ハウジングに対して回動自在に案内した当接プレートに長手方向軸線の周りに回転自在に配置する。これにより、  ハウジングに対して当接プレートが回動しつつ、回し引き鋸ブレードの鋸引き方向に直交する方向の案内を保証する。
【０００４】
更に、鋸引き方向に直交する方向に回し引き鋸ブレードを案内するようハウジングに固定した案内装置有する他の回し引き鋸装置も知られている（例えば、特許文献２参照）。
【０００５】
【特許文献１】
欧州特許出願公開第0792712号明細書
【特許文献２】
独国特許出願公開第3613279号明細書
【０００６】
【発明が解決しようとする課題】
しかし、これら既知の装置は、振り子装置及び案内装置の組み合わせにより、双方の装置の安定性及び耐用時間がともに乏しいものになり易いという欠点がある。
【０００７】
更に、既知の装置では、特に、振り子装置の製造コストが極めて高く、回し引き鋸装置の製造コストを押し上げるという欠点がある。
【０００８】
従って、本発明の目的は、振り子装置及び案内装置を有し、一方では双方の装置の高い安定性をもたらし、他方では安価に製造することができる回し引き鋸装置を得るにある。
【０００９】
この目的を達成するため、本発明回し引き鋸装置は、前記案内装置を前記往復ロッド軸受構造に配置したことを特徴とする。
【００１０】
ハウジングに対して案内装置を往復ロッド軸受構造に配置したことにより、案内装置のハウジングに対する高い安定性が保証される。更に、案内装置の運動状況が往復ロッドと同期し、往復ロッド軸受構造によって案内される。案内装置を往復ロッド軸受構造に連結することは構造が簡単になるため、回し引き鋸装置は極めて安価に製造することができるようになる。
【００１１】
案内装置は、ハウジングに対して鋸引き方向に移動自在にすると、振り子によって生ずる回し引き鋸ブレードの振り子運動を吸収する。
【００１２】
案内装置は、前記案内装置を前記振り子装置に機械的に係合して連係動作する構成とすると、振り子装置の構造が簡単になり、双方の装置の安定性を高くすることができるようになり好適である。更に、双方の装置を機械的に連結することにより、案内装置による回し引き鋸ブレードの案内が最適になる。
【００１３】
案内装置は、弾性トング（やっとこ）構造にし、この弾性トング（やっとこ）構造の遊端にそれぞれ案内手段を配置すると好適である。弾性トング（やっとこ）構造は、案内手段を安価にし、かつ調整自在の支持構造となる。
【００１４】
案内手段は、案内ローラによって構成し、これら案内ローラの外面を前記回し引き鋸ブレードの対応する前記幅広側面に接触させ、かつこれら案内ローラの回転軸線を鋸引き方向にほぼ平行に延在させると好適である。
【００１５】
案内装置に、前記両側の案内手段相互間の距離を変更させる調整装置を設けると異なる厚さの回し引き鋸ブレードも案内装置によって最適に案内することができるようになる。
【００１６】
調整装置には前記幅広側面に対して直交する方向に延在する調整ねじを設けると、調整装置を簡単かつ安価に製造することができるようになり好適である。調整ねじを回すことにより、トング（やっとこ）構造の両側脚部間の距離を調整することができ、従って、案内手段間の距離も調整することができる。好適には、弾性トング（やっとこ）構造における両側脚部のうちの一方を調整ねじにねじ連結で一体にし、他方の脚部を調整ねじに対して軸線方向に移動自在に支持すると好適である。
【００１７】
【発明の実施の形態】
次に、図面につき本発明の好適な実施の形態を説明する。
【００１８】
図１及び図２に本発明の回し引き鋸を示し、この回し引き鋸は、振り子装置２と、往復ロッド軸受構造１によってハウジング３に対して往復移動可能に支持した往復ロッド４とを有する。往復ロッド４の一方の端部には、回し引き鋸ブレード５を固定することができ、この回し引き鋸ブレード５の幅広側面６ａ，６ｂを鋸引き方向Ｓに直交する方向に案内装置８の案内手段７ａ，７ｂによって案内する。
【００１９】
往復ロッド軸受構造１は、円筒形の往復ロッド４を案内するため、２個の玉縁状の軸受素子９と案内プレート１１とを有する。往復ロッド４は、２個の案内プレート１１と、摺動プレート１３との間に軸受支持する。この摺動プレート１３及び案内プレート１１は、スナップ嵌合装置１２によって互いに着脱自在に連結する。スナップ嵌合装置１２は、一方の部分、例えば、摺動プレート１３に設けた窪み１５と、他方の部分例えば、案内プレート１１に設けたフック形状で対応の窪み１５に掛合可能なスナップ舌状片１４とにより構成する。
【００２０】
往復ロッド４の一方の端部には、回し引き鋸ブレード５を着脱自在に固定するツール固定装置１６を設ける。更に、往復ロッド４には、往復ロッド４の長さ方向に直交するよう延在する往復連結リンク１７を設け、この往復連結リンク１７は両側の軸受素子９間に配置する。金属プレートから変形して形成した往復連結リンク１７は、例えば、往復ロッド４にねじ連結し、またほぼＵ字状の断面にする。
【００２１】
案内装置８には、案内ホルダ１９と、調整装置２３と、円筒形の２個の案内手段７ａ，７ｂを設け、これら案内手段の外面１８をそれぞれに対応する幅広側面６ａ，６ｂに接触させる。案内手段７ａ，７ｂは案内ホルダ１９において軸線の周りに回転自在に配置する。案内ホルダ１９はほぼトング（やっとこ）のように構成し、案内ホルダの両側の脚部２１ａ，２１ｂに案内手段７ａ，７ｂのそれぞれの中心軸線が延在する円筒形のピン２２によって回転自在に配置する。調整手段２３には、幅広側面６ａ，６ｂに直交するよう延在する調整ねじ２４を設ける。この調整ねじ２４を回すことにより、案内ホルダ１９の弾性脚部２１ａ，２１ｂ間の距離を変更することができ、従って、両側の案内手段７ａ，７ｂ間の距離も変更することができる。調整ねじ２４は、端部に調整ホイール２６を設けたシャフト２５を有し、この調整ホイール２６には図示しないが刻み目を付ける。調整ホイール２６に対応する側の脚部２１ａは、調整ねじ２４のシャフトに対して相対移動しないように配置し、他方の脚部２１ｂはシャフト２５の図示しないねじ山に連係動作する。
【００２２】
振り子装置２は、中心スタッド２７に回転自在に配置した支持ロール２８を設け、この支持ロール２８の回転軸線は、回し引き鋸ブレード５の幅広側面６ａ，６ｂに直交させる。中心スタッド２７は案内装置８に固定し、特に、案内ホルダ１９に連結し、例えば、一体に構成する。ほぼ円筒形の支持ロール２８には、外面のほぼ中心にＶ字状の溝を設け、この溝を回し引き鋸ブレード５の鋸引き方向とは反対側の側面に接触させる。
【００２３】
往復ロッド軸受構造１は、ハウジング内で鋸引き方向に移動自在に配置する。図示しない振り子素子によって、往復ロッド軸受構造１には鋸引き方向の振り子運動が重ね合わされる。これにより、案内装置８並びに振り子装置２が往復ロッド軸受構造１に固定され、双方の装置が同期して運動する。
【図面の簡単な説明】
【図１】  案内装置を有する往復ロッド軸受構造の側面図である。
【図２】  図１に示す往復ロッド軸受構造の９０゜角度がずれた方向からの一部断面とする側面図である。
【符号の説明】
1  往復ロッド軸受構造
2  振り子装置
3  ハウジング
4  往復ロッド
5  回し引き鋸ブレード
6a,6b 幅広側面
7a,7b 案内手段
8  案内装置
9  軸受素子
11  案内プレート
12  スナップ嵌合装置
13  摺動プレート
14  スナップ舌状片
15  窪み
16  ツール固定装置
17  往復連結リンク
18  外面
19  案内ホルダ
20
21a,21b  脚部
22  ピン
23  調整手段
24  調整ねじ
25  シャフト
26  調整ホイール
27  中心スタッド
28  支持ロール
【図１】
0004427243.tif 000002
【図２】
0004427243.tif 000003